(57)【要約】【課題】ネットワーク上のユーザ専用のポータルで商品情報の比較検討が可能であり、更に抽出条件に合った特定の会員へ更新情報を伝えることができる電子カタログスタンドを提供する。【解決手段】会員のうちコンテンツ作成会員により作成されたＷｅｂサイト上の商品情報及びクリップボタンを示すメタデータを取得し、メタデータに基づいてＷｅｂサイトと動的に連結する電子カタログを作成し、この電子カタログを電子カタログ格納部に事前に格納する。会員のうちコンテンツ閲覧会員によりＷｅｂサイトに表示されたクリップボタンが押下された場合、電子カタログが電子カタログ格納部に格納されていれば、電子カタログ格納部から電子カタログを複写してコンテンツ閲覧会員のクリップスタンドに登録する。クリップスタンドに電子カタログを登録する際に、インデックスを入力するための評価入力フォームを表示する。評価入力フォームに入力されたインデックス（テーマ）に従って、電子カタログを配列して表示する。【選択図】図１
2009048606.tif 000002
【特許請求の範囲】
【請求項１】
会員のうちコンテンツ作成会員により作成されたＷｅｂサイト上の商品情報及びクリップボタンを示すメタデータに基づいて作成され、前記Ｗｅｂサイトと動的に連結する電子カタログと、
前記電子カタログを事前に格納するための電子カタログ格納部と
を具備する
電子カタログスタンドシステム。
【請求項２】
請求項１に記載の電子カタログスタンドシステムであって、
前記会員のうちコンテンツ閲覧会員が前記電子カタログを閲覧するためのクリップスタンドと、
前記コンテンツ閲覧会員により前記Ｗｅｂサイト上のクリップボタンが押下された場合、前記電子カタログが前記電子カタログ格納部に格納されていれば、前記電子カタログ格納部から前記電子カタログを複写して前記クリップスタンドに登録する中核システムと
を更に具備する
電子カタログスタンドシステム。
【請求項３】
請求項２に記載の電子カタログスタンドシステムであって、
前記クリップスタンドは、シンジケートボタンを表示し、
前記中核システムは、非会員により作成された他のＷｅｂサイト上の類似商品情報を前記コンテンツ閲覧会員が閲覧している時、前記コンテンツ閲覧会員により前記シンジケートボタンが押下された場合、前記他のＷｅｂサイトから前記類似商品情報を示すメタデータに相当する情報を抽出して擬似的な電子カタログを作成して前記クリップスタンドに登録する
電子カタログスタンドシステム。
【請求項４】
請求項３に記載の電子カタログスタンドシステムであって、
前記中核システムは、前記電子カタログ及び前記擬似的な電子カタログを前記クリップスタンドに登録する際、インデックス（テーマ）を入力するための評価入力フォームを表示し、前記評価入力フォームに入力されたインデックスを前記電子カタログ及び前記擬似的な電子カタログに付加する
電子カタログスタンドシステム。
【請求項５】
請求項４に記載の電子カタログスタンドシステムであって、
前記クリップスタンドは、前記付加されたインデックスに従って、前記電子カタログ及び前記擬似的な電子カタログを配列して表示する
電子カタログスタンドシステム。
【請求項６】
請求項３乃至５のいずれか一項に記載の電子カタログスタンドシステムであって、
前記電子カタログ格納部は、前記擬似的な電子カタログを更に格納し、前記電子カタログ及び前記擬似的な電子カタログに基づく総合商品カタログを一般公開し、
前記中核システムは、前記総合商品カタログに掲載された前記電子カタログ又は前記擬似的な電子カタログを所望する非会員の閲覧者に会員登録を促す
電子カタログスタンドシステム。
【請求項７】
請求項６に記載の電子カタログスタンドシステムであって、
前記中核システムは、前記コンテンツ作成会員により前記総合商品カタログに掲載された前記電子カタログ又は前記擬似的な電子カタログが指定された場合、前記コンテンツ作成会員に対して地域情報の入力を促し、前記電子カタログ又は前記擬似的な電子カタログと入力された地域情報とに基づいて、地域別総合商品カタログを作成し、前記コンテンツ閲覧会員が前記地域別総合商品カタログに掲載された前記電子カタログを前記クリップスタンドに登録した場合、前記コンテンツ作成会員が前記電子カタログ又は前記擬似的な電子カタログに関するメッセージを前記コンテンツ閲覧会員に通知できるようにする
電子カタログスタンドシステム。
【請求項８】
請求項７に記載の電子カタログスタンドシステムであって、
前記中核システムは、前記総合商品カタログ及び前記地域別総合商品カタログに、前記電子カタログ及び前記擬似的な電子カタログの各々に対応するコミュニティーボタンを設置し、前記会員のうち前記電子カタログ及び前記擬似的な電子カタログを前記クリップスタンドに登録したカタログ取得会員により前記コミュニティーボタンが押下された場合、前記カタログ取得会員共通の電子掲示板又はチャットを表示する
電子カタログスタンドシステム。
【請求項９】
請求項２乃至８のいずれか一項に記載の電子カタログスタンドシステムであって、
前記クリップスタンドが前記コンテンツ作成会員により指定された抽出条件に適合すれば、前記商品情報に関連する付加情報を前記クリップスタンド内の当該電子カタログに通知する条件抽出システム
を更に具備する
電子カタログスタンドシステム。
【請求項１０】
会員のうちコンテンツ作成会員により作成されたＷｅｂサイト上の商品情報及びクリップボタンを示すメタデータを取得し、前記メタデータに基づいて前記Ｗｅｂサイトと動的に連結する電子カタログを作成するステップと、
前記電子カタログをデータベースに格納するステップと、
前記会員のうちコンテンツ閲覧会員により前記Ｗｅｂサイトに表示されたクリップボタンが押下された場合、前記電子カタログが前記データベースに格納されていれば、前記データベースから前記電子カタログを複写して前記コンテンツ閲覧会員のクリップスタンドに登録するステップと
をコンピュータに実行させるための
電子カタログスタンドプログラム。
【請求項１１】
請求項１０に記載の電子カタログスタンドプログラムであって、
非会員により作成された他のＷｅｂサイト上の類似商品情報を前記コンテンツ閲覧会員が閲覧している時、前記コンテンツ閲覧会員により前記クリップスタンドに表示されたシンジケートボタンが押下されると、前記類似商品情報を示すメタデータに相当する情報に相当する情報を取得して擬似的な電子カタログを作成し、前記クリップスタンドに前記擬似的な電子カタログを登録するステップ
を更にコンピュータに実行させるための
電子カタログスタンドプログラム。
【請求項１２】
請求項１１に記載の電子カタログスタンドプログラムであって、
前記クリップスタンドに前記電子カタログ及び前記擬似的な電子カタログを登録する際に、インデックス（テーマ）を入力するための評価入力フォームを表示するステップと、
前記評価入力フォームに入力されたインデックスに従って、前記電子カタログ及び前記擬似的な電子カタログを配列して表示するステップと
を更にコンピュータに実行させるための
電子カタログスタンドプログラム。
【請求項１３】
請求項１１又は１２に記載の電子カタログスタンドプログラムであって、
前記擬似的な電子カタログを更に前記データベースに格納するステップと、
前記電子カタログ及び前記擬似的な電子カタログに基づいて総合商品カタログを作成し、前記総合商品カタログを一般公開するステップと、
前記総合商品カタログに掲載された前記電子カタログ又は前記擬似的な電子カタログを所望する非会員の閲覧者に会員登録を促すステップと
を更にコンピュータに実行させるための
電子カタログスタンドプログラム。
【請求項１４】
請求項１３に記載の電子カタログスタンドプログラムであって、
前記コンテンツ作成会員により前記総合商品カタログに掲載された前記電子カタログが指定された場合、前記コンテンツ作成会員に対して地域情報の入力を促し、前記電子カタログ又は前記擬似的な電子カタログと入力された地域情報とに基づいて、地域別総合商品カタログを作成し、前記地域別総合商品カタログを一般公開するステップと、
前記コンテンツ閲覧会員が前記地域別総合商品カタログに掲載された前記電子カタログ又は前記擬似的な電子カタログを前記クリップスタンドに登録した場合、前記コンテンツ作成会員が前記電子カタログ又は前記擬似的な電子カタログに関するメッセージを前記コンテンツ閲覧会員に通知できるようにするステップと
を更にコンピュータに実行させるための
電子カタログスタンドプログラム。
【請求項１５】
請求項１４に記載の電子カタログスタンドプログラムであって、
前記総合商品カタログ及び前記地域別総合商品カタログに、前記電子カタログ及び前記擬似的な電子カタログの各々に対応するコミュニティーボタンを設置するステップと、
前記会員のうち前記電子カタログ及び前記擬似的な電子カタログを前記クリップスタンドに登録したカタログ取得会員により前記コミュニティーボタンが押下された場合、前記カタログ取得会員共通の電子掲示板又はチャットを表示するステップと
を更にコンピュータに実行させるための
電子カタログスタンドプログラム。
【請求項１６】
請求項１０乃至１５のいずれか一項に記載の電子カタログスタンドプログラムであって、
前記クリップスタンドが前記コンテンツ作成会員により指定された抽出条件に適合すれば、前記商品情報に関連する付加情報を前記クリップスタンド内の当該電子カタログに通知するステップ
を更にコンピュータに実行させるための
電子カタログスタンドプログラム。
【発明の詳細な説明】
【技術分野】
【０００１】
本発明は、電子カタログスタンドシステムに関し、特にインターネット上の商品情報をクリップして表示する電子カタログスタンドシステムに関する。
【背景技術】
【０００２】
Ｗｅｂサイト、Ｂｌｏｇ（ブログ）等の情報過多の時代において、消費者（ユーザ）が、自分が関心を持つ商品やサービスを比較検討する場合は、比較検討の対象となる複数の商品やサービスの各々について、該当する商品やサービスを扱う企業のサイトや、該当する商品やサービスに関する情報を提供する個別サイトを、検索エンジンにより検索し、１つずつブックマークに登録して、それぞれ順番に訪問したり、個別の画面ウインドウ（画面内の矩形状の表示領域）を立ち上げて表示したりする必要があった。
【０００３】
近年では、価格比較サイトや口コミ情報サイト等の商品やサービスを比較するためのサイトが登場している。しかし、これらのサイトで取り扱われる商品情報は、サイト運営者側や他の消費者が指定又は選択した商品やサービスの中から、当該消費者の所望する条件にあったものを表示するという形式であり、インターネット上に散在する当該消費者の興味ある商品やサービスに関する情報だけを自由に集めて一覧にして表示するということはできなかった。
【０００４】
また、消費者が自身の端末上で自分の興味ある商品やサービスに関する情報だけ集めて、独自に商品情報一覧を作成することも考えられる。例えば、消費者が、個々のサイトから自分の興味ある商品やサービスに関する内容をコピーし、１つのファイルに貼り付けることで、商品情報一覧を作成することができる。しかし、個別の商品情報が更新された場合、当該消費者自身がその商品情報が更新されたことを認識し、更新情報を取得する必要が生じる。
【０００５】
なお、Ｗｅｂサイト、Ｂｌｏｇ等の更新情報を自動的に通知又は取得するための技術として、フィードやマイクロフォーマット（ｍｉｃｒｏｆｏｒｍａｔｓ）が知られている。
【０００６】
フィードとは、Ｗｅｂページから提供されるＲＳＳ（Ｒｉｃｈ  Ｓｉｔｅ  Ｓｕｍｍａｒｙ（別名：Ｒｅａｌｌｙ  Ｓｉｍｐｌｅ  Ｓｙｎｄｉｃａｔｉｏｎ、又は、ＲＤＦ  Ｓｉｔｅ  Ｓｕｍｍａｒｙ））やＡｔｏｍといったフォーマット上のメタデータで記述された情報である。特にＲＳＳ形式のフォーマットで記述されたフィードをＲＳＳフィードと呼ぶ。ＲＳＳは、Ｗｅｂページの見出しや要約などのメタデータを構造化して記述するＸＭＬベースのフォーマットであり、主にページの更新情報を公開するために使われている。
【０００７】
マイクロフォーマットとは、ＨＴＭＬ（ＨｙｐｅｒＴｅｘｔ  Ｍａｒｋｕｐ  Ｌａｎｇｕａｇｅ）やＸＨＴＭＬ（Ｅｘｔｅｎｓｉｂｌｅ  ＨｙｐｅｒＴｅｘｔ  Ｍａｒｋｕｐ  Ｌａｎｇｕａｇｅ）の文法に沿った形でＢｌｏｇ（ブログ）のエントリー等の文書に挿入されるメタデータの規格である。マイクロフォーマットには、ｈＲｅｖｉｅｗ等のツールがある。ｈＲｅｖｉｅｗは、商品レビューのフォーマットであり、商品情報を選ぶ画面で、タブに追加された「ｈＲｅｖｉｅｗ」を選ぶと利用できる。
【０００８】
しかし、フィードやマイクロフォーマットは、まだまだ新しい技術であり、個別サイトの更新情報の通知を、ＲＳＳリーダ等の専用のアプリケーションを介して閲覧する以外の利用方法は知られていない。
【０００９】
関連する技術として、特開２００１−２０２４５０号公報（特許文献１）に「電子カタログアグリゲーションシステム」が開示されている。
この公知技術では、複数のカタログ提供者装置群から複数のカタログ情報をカタログデータ収集受信部を介して受け取り、この受け取った複数のカタログ情報をカタログ加工部で所定の共用形式の電子カタログに加工して共用カタログデータベースに格納し、カタログ利用者装置群からカタログ要求情報を受け取ると、このカタログ要求情報に合った電子カタログをカタログ切り出し部で共用カタログデータベースから検索して抽出し、この抽出した電子カタログをカタログ利用者の要求する形式に変換してカタログ利用者に配信する。
【００１０】
また、特開２００２−１３２６５２号公報（特許文献２）に「オンライン商品等情報掲載システム」が開示されている。
この公知技術では、商品等情報掲載者がＷＷＷ上に表示される商品等情報を含むページを送信し、格納する商品等情報格納手段と、商品等情報を含むコンテンツを送信して閲覧者の端末に表示させるコンテンツ表示手段とを備えるシステムにおいて、前記の商品等情報掲載者端末から商品等情報格納手段により商品等情報を送信する際に、商品やサービス等のジャンル別の指定を入力する手段を設け、商品やサービスのジャンル毎に階層構造を有する表示が可能であると共に、前記システムにはさらに、商品等情報掲載者毎の商品等情報掲載量・掲載期間・閲覧量・購入申込量等に応じた商品等情報掲載料金を算出する手段を設ける。
【００１１】
【特許文献１】特開２００１−２０２４５０号公報
【特許文献２】特開２００２−１３２６５２号公報
【発明の開示】
【発明が解決しようとする課題】
【００１２】
従来は、ネットワーク上で消費者（ユーザ）が企業や商品情報にコンタクトする手段は検索エンジンが主流である。しかし、検索エンジンでは、消費者の興味のある商品やサービスの情報のみをクリップして比較検討することはできない。また、消費者がどのような商品やサービスを比較検討しているかといった動向や変遷を企業側が把握することができない。
【００１３】
企業側の要望としては、ネットワーク上で、商品やサービスを購入する可能性の高いターゲットユーザ（顧客）の確保と、その顧客との良好なリレーションシップの継続を図りたい。また、顧客が購入に至る動機を素早く掴みたい。そのため、ＢｌｏｇやＳＮＳ（Ｓｏｃｉａｌ  Ｎｅｔｗｏｒｋｉｎｇ  Ｓｅｒｖｉｃｅ）以外にもＣＧＭ（Ｃｏｎｓｕｍｅｒ  Ｇｅｎｅｒａｔｅｄ  Ｍｅｄｉａ）を介して、これらの要望を満たす手段が求められている。
【００１４】
消費者側の要望としては、自分が関心を持つ商品やサービスについて、更にサイト上のページを簡単にクリップでき、クリップされた商品やサービスについて比較検討ができ、関心のある企業から継続的なコンタクトと、差別化された特典や新たな情報が欲しい。また、過去に関心を持った商品を再び閲覧する場合、再検索したり、別々のウインドウに表示したりするのは面倒なので、過去に閲覧した商品情報を一括して管理し、まとめて閲覧できる備忘録のようなものが欲しい。そのため、自分専用のネットワーク上のポータルで商品の比較検討ができ、関心ある商品の特典が貰え、備忘録としても使える電子カタログ用のクリップスタンドが欲しい。
【課題を解決するための手段】
【００１５】
本発明の電子カタログスタンドシステムは、会員のうちコンテンツ作成会員により作成されたＷｅｂサイト上の商品情報及びクリップボタンを示すメタデータに基づいて作成され、前記Ｗｅｂサイトと動的に連結する電子カタログと、前記電子カタログを事前に格納するための電子カタログ格納部と、前記会員のうちコンテンツ閲覧会員が前記電子カタログを閲覧するためのクリップスタンドと、前記コンテンツ閲覧会員により前記Ｗｅｂサイト上のクリップボタンが押下された場合、前記電子カタログが前記電子カタログ格納部に格納されていれば、前記電子カタログ格納部から前記電子カタログを複写して前記クリップスタンドに登録する中核システムとを具備する。
【００１６】
また、本発明の電子カタログスタンドシステムは、前記クリップスタンドが前記コンテンツ作成会員により指定された抽出条件に適合すれば、前記商品情報に関連する付加情報を前記クリップスタンドに通知する条件抽出システムを更に具備する。
【発明の効果】
【００１７】
企業は、商品やサービスに対する消費者の購入動機や商品への関心度を、個々の消費者の専用ポータルにて分析することができ、個々の消費者の動機や関心度に合わせたＷｅｂプロモーションを展開できる。消費者は、自分が興味のある商品やサービスの情報を自分専用のポータルにてクリップし一覧にして比較検討ができ、更にポイント等の特典や新サービス情報の通知を受けることができる。
【発明を実施するための最良の形態】
【００１８】
以下に、本発明の第１実施形態について添付図面を参照して説明する。
図１を参照して、本発明の電子カタログスタンドシステムの概要について説明する。
本発明の電子カタログスタンドシステムは、元ページ１０と、電子カタログ格納部２０と、電子カタログスタンド中核システム３０と、クリップスタンド４０を備える。
【００１９】
元ページ１０（１０−ｉ、ｉ＝１〜ｍ：ｍはサイト数）は、企業（法人）等のコンテンツ作成者によって作成されたインターネット上のサイトである。元ページ１０の例として、Ｂｌｏｇ（ブログ）やＷｅｂページが考えられる。但し、実際には、これらの例に限定されない。図１では、元ページ１０−１と、元ページ１０−２を例に示す。元ページ１０−１は、電子カタログスタンドシステムを利用する会員により作成されたＷｅｂサイトである。元ページ１０−１には、掲載された商品情報毎にクリップボタン１１が設けられている。クリップボタン１１は、Ｊａｖａｓｃｒｉｐｔ（登録商標）等のブラウザの機能により表示される。但し、Ｊａｖａｓｃｒｉｐｔ（登録商標）は例示に過ぎず、実際には、ＰＨＰ（ＰＨＰ：Ｈｙｐｅｒｔｅｘｔ  Ｐｒｅｐｒｏｃｅｓｓｏｒ）等の他のスクリプトや、ＣＧＩ（Ｃｏｍｍｏｎ  Ｇａｔｅｗａｙ  Ｉｎｔｅｒｆａｃｅ）、Ｊａｖａ（登録商標）サーブレット等のプログラムでも良い。なお、クリップボタン１１は、元ページ１０−１上に直接表示される場合に限らず、別ウインドウで表示される場合もある。元ページ１０−２は、非会員により作成されたＷｅｂサイトである。
【００２０】
電子カタログ格納部２０は、事前に、元ページ１０−１のような会員により作成されたＷｅｂサイト上の商品情報及びクリップボタン１１を示すメタデータに基づいて作成された電子カタログを事前に格納して蓄積する。電子カタログ格納部２０の例として、データベース装置や、ストレージ（ｓｔｏｒａｇｅ）装置が考えられる。ここでは、クリップボタン１１は商品情報と１対１で対応するものとする。従って、商品情報が複数であればクリップボタン１１も複数になる。但し、実際には、クリップボタン１１はＷｅｂサイト自体と１対１で対応するようにしても良い。なお、電子カタログ格納部２０が、事前に登録された元ページ１０−１の所在情報（ＵＲＬ、アドレス等）に基づき、自動的にメタデータを収集して電子カタログを作成するようにしても良い。電子カタログは、元ページ１０−１と動的に連結している。すなわち、元ページ１０−１の更新が電子カタログに反映される。また、電子カタログに複写されたクリップボタン１１が押下された時、元ページ１０−１のクリップボタン１１が押下された場合と同じ動作を行うようにしても良い。
【００２１】
電子カタログスタンド中核システム３０は、本発明の電子カタログスタンドシステムの中核となる装置である。電子カタログスタンド中核システム３０の例として、サーバ装置が考えられる。すなわち、本発明を実施するために必要な機能、プログラム等を有し、必要に応じて他の装置に提供する。なお、実際には、電子カタログスタンド中核システム３０が、電子カタログ格納部２０及びクリップスタンド４０を備えていても良い。
【００２２】
クリップスタンド４０（４０−ｊ、ｊ＝１〜ｎ：ｎは会員数）は、会員毎に割り当てられた記憶領域又は記憶装置と、各会員が使用する端末等の表示装置を含み、記憶された内容を「Ｍｙクリップスタンド」として表示する。クリップスタンド４０の例として、ＰＣ（パソコン）装置や、携帯電話機等の携帯端末が考えられる。すなわち、インターネット等の通信回線を介して電子カタログスタンド中核システム３０にアクセス可能な通信装置であれば良い。通信回線は、有線、無線を問わない。或いは、クリップスタンド４０は、電子カタログスタンド中核システム３０に接続された専用端末や他のサーバ装置でも良い。また、クリップスタンド４０を会員毎に割り当てるのは、仮想的に実現しても良い。例えば、１つの端末上で、ログインしたユーザに応じて、そのユーザのＭｙクリップスタンドを表示するようにすることも可能である。なお、各クリップスタンド４０は、割り当てられた会員自身のみ利用可能であり、特別な設定をした場合を除き、基本的に他の会員により閲覧されることはない。更に、Ｍｙクリップスタンドには、シンジケートボタン４１が設けられている。シンジケートボタン４１は、元ページ１０がクリップボタン１１を有していない場合に用いられる。
【００２３】
ここで、電子カタログスタンド中核システム３０は、電子カタログ収集部３１と、電子カタログ生成エンジン３２を備える。
【００２４】
電子カタログ収集部３１は、クリップボタン対応部３１１と、シンジケートボタン対応部３１２を有する。
【００２５】
クリップボタン対応部３１１は、元ページ１０−１のクリップボタン１１と動的に連結している。すなわち、元ページ１０−１のクリップボタン１１が押下されたことを検出し、電子カタログ生成エンジン３２に対して、電子カタログ格納部２０から電子カタログを複写（コピー）してクリップスタンド４０に記憶するように指示する。また、電子カタログに含まれるクリップボタン１１とも動的連結しており、Ｍｙクリップスタンドにおいて電子カタログと共に表示されたクリップボタン１１が押下された場合にも、電子カタログ生成エンジン３２に指示する。
【００２６】
シンジケートボタン対応部３１２は、消費者によりシンジケートボタン４１が押下されると、元ページ１０−２を静的に表示するための処理を行う。すなわち、擬似的な電子カタログを作成し、Ｍｙクリップスタンドに表示するための処理を行う。会員である企業（法人）等により作成された元ページ１０−１でなければ、元ページ１０−２のようにクリップボタン１１が設けられていないと考えられる。このような元ページ１０−２に掲載された類似商品情報を、元ページ１０−１の商品情報と比較検討するために自身のＭｙクリップスタンドに登録したい場合、消費者がＭｙクリップスタンドに表示されたシンジケートボタン４１を押下することで、シンジケートボタン対応部３１２が、電子カタログ生成エンジン３２に対して、当該Ｗｅｂサイトから類似商品情報に関するメタデータに相当する情報を抽出して擬似的な電子カタログを作成し、消費者自身のＭｙクリップスタンドに登録するように指示する。なお、「メタデータに相当する情報」の例として、そのＷｅｂサイトのＵＲＬやタイトル、概要、作成日時等が考えられる。これらの情報のうち取得可能なものをメタデータに相当する情報として収集する。ここでは、電子カタログ生成エンジン３２は、作成された擬似的な電子カタログを直接、消費者自身のＭｙクリップスタンドに登録している。但し、実際には、電子カタログ生成エンジン３２は、作成された擬似的な電子カタログを一旦、電子カタログ格納部２０に格納し、格納された擬似的な電子カタログを複写して消費者自身のＭｙクリップスタンドに登録するようにしても良い。
【００２７】
例えば、消費者がシンジケートボタン４１を押下した際、シンジケートボタン対応部３１２が、ＷｅｂサイトのＵＲＬを入力するための入力欄を表示し、電子カタログ生成エンジン３２に対して、入力されたＵＲＬに該当するＷｅｂサイトから類似商品情報に関するメタデータに相当する情報を抽出して擬似的な電子カタログを作成し、消費者自身のＭｙクリップスタンドに登録するようにするように指示する。或いは、Ｗｅｂサイトのショートカットや類似商品情報のアイコン等を消費者自身のＭｙクリップスタンドにドラッグ＆ドロップした際に、Ｍｙクリップスタンドにシンジケートボタン４１を表示し、消費者がシンジケートボタン４１を押下することで、電子カタログ生成エンジン３２に対して、類似商品情報に関するメタデータに相当する情報を抽出して擬似的な電子カタログを作成し、消費者自身のＭｙクリップスタンドに登録するように指示する。これにより、消費者は、非会員の企業等により作成されたＷｅｂサイト上の類似商品情報についても、Ｍｙクリップスタンド上で比較検討の対象にすることができる。
【００２８】
なお、クリップスタンド４０上において、クリップボタン１１とシンジケートボタン４１を一体化することも可能である。この一体化したボタンが押下された場合、電子カタログ収集部３１は、元ページ１０がクリップボタン１１を有しているか判定し、元ページ１０がクリップボタン１１を有していればクリップボタン１１として機能させ、元ページ１０がクリップボタン１１を有していなければシンジケートボタン４１として機能させる。また、元ページ１０がクリップボタン１１を有しているか否かに応じて、クリップボタン１１とシンジケートボタン４１のいずれか一方をクリップスタンド４０上に表示するようにしても良い。シンジケートボタン４１への電子カタログ生成エンジン３２の対応処理の方法の一つとして、消費者がブラウザの「お気に入り（Ｆａｖｏｒｉｔｅｓ）」又は「ブックマーク」メニューを押下し、ページ内商品画像一覧の機能ボタンを選択した際に、電子カタログ生成エンジン３２が、元ページ内の複数の商品画像をウインドウに一覧で表示して消費者に選択を行わせ、当該商品画像を消費者自身のＭｙクリップスタンドに表示すると共に、類似商品情報に関するメタデータに相当する当該の商品の情報を抽出して擬似的な電子カタログを作成し登録するようにするようにしても良い。
【００２９】
電子カタログ生成エンジン３２は、消費者（顧客）等のコンテンツ閲覧者が元ページ１０−１の商品情報に対応するクリップボタン１１を押下した際、この元ページ１０−１が会員企業により作成され、その元ページ１０−１の商品情報が電子カタログとして既に電子カタログ格納部２０に格納されていれば、クリップボタン対応部３１１からの指示に応じて、電子カタログ格納部２０から電子カタログを複写（コピー）してクリップスタンド４０に記憶する。また、消費者がＭｙクリップスタンドに表示されたシンジケートボタン４１を押下した際、シンジケートボタン対応部３１２からの指示に応じて、元ページ１０−２から類似商品情報に関するメタデータに相当する情報を抽出して擬似的な電子カタログを作成し、消費者自身のＭｙクリップスタンドに登録する。更に、消費者（顧客）等のコンテンツ閲覧者から指定されたジャンル・カテゴリ・インデックスを電子カタログ又は擬似的な電子カタログに設定し、このジャンル・カテゴリ・インデックスに応じて、電子カタログ又は擬似的な電子カタログをインデックス化する。
【００３０】
なお、電子カタログ収集部３１及び電子カタログ生成エンジン３２の例として、ＣＰＵ（Ｃｅｎｔｒａｌ  Ｐｒｏｃｅｓｓｉｎｇ  Ｕｎｉｔ）やマイクロプロセッサ（ｍｉｃｒｏｐｒｏｃｅｓｓｏｒ）等の処理装置、又は、電子カタログ収集部３１及び電子カタログ生成エンジン３２として機能する半導体集積回路（ＩＣ）等が考えられる。或いは、電子カタログ収集部３１及び電子カタログ生成エンジン３２は、コンピュータを、電子カタログ収集部３１及び電子カタログ生成エンジン３２として機能させるためのプログラムでも良い。但し、実際には、これらの例に限定されない。
【００３１】
図２を参照して、本発明の電子カタログスタンドシステムの構成及び動作について詳述する。
ここでは、本発明の電子カタログスタンドシステムは、元ページ１０と、電子カタログ格納部２０と、電子カタログスタンド中核システム３０と、クリップスタンド４０に加えて、更に、条件抽出システム５０を備える。
【００３２】
電子カタログ格納部２０は、企業（法人）等のコンテンツ作成者によって元ページ１０が登録又は更新された場合、電子カタログを作成する。このとき、元ページ１０がフィードやマイクロフォーマットを有していれば、元ページ１０のフィードやマイクロフォーマットに用いられるメタデータを収集する。元ページ１０がフィードやマイクロフォーマットを有していなければ、元ページ１０全体からフィードやマイクロフォーマットに用いられるメタデータに相当する情報を収集する。そして、フィードやマイクロフォーマットに用いられるメタデータ又はこれに相当するデータに基づいて、電子カタログを作成して格納する。フィードやマイクロフォーマットに用いられるメタデータの構成例として、「ＵＲＬ」、「Ｔｉｔｌｅ」、「Ｄｅｓｃ」、「Ｄａｔｅ」を示す。「ＵＲＬ」は、元ページ１０の所在情報を示す。「Ｔｉｔｌｅ」は、リソースのタイトルを示す。「Ｄｅｓｃ（Ｄｅｓｃｒｉｐｔｉｏｎ）」は、リソースの内容、機能などの概要説明を示す。「Ｄａｔｅ」は、元ページ１０の作成日付を示す。格納された電子カタログは、複数の会員（全員でも可）が共有する。すなわち、キャッシュとして機能する。なお、会員には、企業（法人）等のコンテンツ作成者と、消費者（顧客）等のコンテンツ閲覧者を含む。このとき、電子カタログ格納部２０は、会員の識別情報と、会員が登録した元ページ１０のＵＲＬとを対応付けた会員ページ対応表を有していても良い。なお、電子カタログ格納部２０は、元ページ１０のメタデータを収集する際、元ページ１０がクリップボタン１１を有していれば、電子カタログにクリップボタン１１を表示するためのメタデータを含める。
【００３３】
会員である企業（法人）等により作成された元ページ１０には、掲載された商品情報毎にクリップボタン１１が設けられている。消費者がクリップボタン１１を押下することで、対応する商品情報を指定したことになり、電子カタログ生成エンジン３２が、電子カタログ格納部２０から当該商品情報の電子カタログを複写（コピー）して消費者自身のＭｙクリップスタンドに記憶する。
【００３４】
ここでは、電子カタログ生成エンジン３２が電子カタログを複写（コピー）する際、マイクロフォーマットのオプションで「ｈＲｅｖｉｅｗフォーム」を生成し、評価タグを設ける。消費者（顧客）等のコンテンツ閲覧者が自身のＭｙクリップスタンドで電子カタログを閲覧するとｈＲｅｖｉｅｗフォームが開き、評価タグを選択することで当該電子カタログの商品情報についてのテーマ、評価内容を入力することができる。ここでは、評価内容として、当該商品情報の電子カタログに対するジャンル・カテゴリ・インデックス（テーマ）を入力する。なお、擬似的な電子カタログを生成してＭｙクリップスタンドに登録する際にもｈＲｅｖｉｅｗフォームを生成し、評価タグを設ける。すなわち、擬似的な電子カタログに対するジャンル・カテゴリ・インデックス（テーマ）を入力する。入力された評価内容は、電子カタログ又は擬似的な電子カタログに設定され、企業（法人）等のコンテンツ作成者のクリップスタンド４０に登録される。なお、ジャンル・カテゴリ・インデックス（テーマ）は、事後的に変更することも可能である。例えば、クリップスタンド４０に登録された電子カタログ又は擬似的な電子カタログに対して、インデックス（テーマ）の変更を指定する操作が行われた際、電子カタログ生成エンジン３２が再びｈＲｅｖｉｅｗフォームを生成し、インデックス（テーマ）の再入力を受け付ける。但し、インデックス（テーマ）を電子カタログへ割り当てる手法は、マイクロフォーマットのオプションで「ｈＲｅｖｉｅｗフォーム」に限定されたことではなく、一般のフォームによるテーマの入力でも構わない。
【００３５】
更に、電子カタログ生成エンジン３２は、企業（法人）等のコンテンツ作成者が元ページ１０をクリップスタンド４０に登録した際に、元ページ１０又は商品情報に関する電子カタログを電子カタログ格納部２０に記憶し、その電子カタログの複写を自身のクリップスタンド４０に記憶する。企業（法人）等のコンテンツ作成者がこの複写された元ページ１０又は商品情報のメタデータを更新（変更）した場合、電子カタログ生成エンジン３２は、その更新内容を電子カタログ格納部２０に記憶された元ページ１０又は商品情報のメタデータに反映し、後述する抽出条件に基づき選択された消費者（顧客）等のクリップスタンド４０に記憶された当該商品情報のメタデータも更新する。このとき、企業（法人）等のコンテンツ作成者が、電子カタログスタンド中核システム３０を介さずに、直接、電子カタログ格納部２０に記憶された元ページ１０又は商品情報のメタデータを更新（変更）するようにしても良い。
【００３６】
条件抽出システム５０は、企業（法人）等のコンテンツ作成者により設定された抽出条件に応じて、抽出条件に合致した消費者の商品やサービスに対する興味や購買動向の変遷（動線遷移）、商品やサービスに対する評価といった、ユーザビヘイビアに関する情報を取得し、当該コンテンツ作成者自身のＭｙクリップスタンド（クリップスタンド４０）に、その内容を通知する。企業（法人）等が、その内容に基づき、特定の条件に合致する消費者に対して、ダイレクトメール（ＤＭ）や電子メールを送ったり、消費者のＭｙクリップスタンドの商品情報を更新したりする。このとき、条件抽出システム５０は、企業（法人）等のコンテンツ作成者のＭｙクリップスタンド（クリップスタンド４０）に含まれる「ダッシュボード」に、ユーザビヘイビアに関する情報を格納する。ダッシュボードは、電子カタログを登録した際に電子カタログ生成エンジン３２により作成されるようにしても良いし、抽出条件を設定した際に条件抽出システム５０により作成されるようにしても良い。なお、条件抽出システム５０は、電子カタログスタンド中核システム３０に含まれていても良い。
【００３７】
次に、本発明の電子カタログスタンドシステムの動作について説明する。
（１）ステップＳ１０１
電子カタログ生成エンジン３２は、会員のうちコンテンツ作成会員により作成されたＷｅｂサイト上の商品情報及びクリップボタンを示すメタデータを取得し、メタデータに基づいてＷｅｂサイトと動的に連結する電子カタログを作成する。
（２）ステップＳ１０２
電子カタログ生成エンジン３２は、電子カタログをデータベース（電子カタログ格納部２０）に事前に格納する。
（３）ステップＳ１０３
電子カタログ生成エンジン３２は、会員のうちコンテンツ閲覧会員によりＷｅｂサイトに表示されたクリップボタンが押下された場合、電子カタログがデータベースに格納されていれば、データベースから電子カタログを複写してコンテンツ閲覧会員のクリップスタンド４０（Ｍｙクリップスタンド）に登録する。
（４）ステップＳ１０４
また、電子カタログ生成エンジン３２は、非会員により作成された他のＷｅｂサイト上の類似商品情報をコンテンツ閲覧会員が閲覧している時、コンテンツ閲覧会員によりクリップスタンド４０に表示されたシンジケートボタンが押下されると、類似商品情報を示すメタデータに相当する情報に相当する情報を取得して擬似的な電子カタログを作成し、クリップスタンド４０に擬似的な電子カタログを登録する。
（５）ステップＳ１０５
電子カタログ生成エンジン３２は、クリップスタンド４０に電子カタログ及び擬似的な電子カタログを登録する際に、インデックス（テーマ）を入力するための評価入力フォームを表示する。そして、入力されたインデックス（テーマ）と共に、クリップスタンド４０に電子カタログ及び擬似的な電子カタログを登録する。
（６）ステップＳ１０６
クリップスタンド４０は、評価入力フォームに入力されたインデックス（テーマ）に従って、電子カタログ及び擬似的な電子カタログを配列して表示する。
（７）ステップＳ１０７
このとき、条件抽出システム５０は、クリップスタンド４０がコンテンツ作成会員により指定された抽出条件に適合すれば、商品情報に関連する付加情報をクリップスタンド４０に通知する。
【００３８】
図３を参照して、電子カタログスタンドシステムを利用したサービスモデルについて説明する。
このサービスモデルでは、以下の（１）〜（１０）に示すフローが存在する。
【００３９】
（１）「ホームページへ行く」
消費者は、自身が利用可能な通信端末を使用して、興味がある商品やサービスを紹介又は提供する企業のＷｅｂサイト（元ページ１０）にアクセスする。
【００４０】
（２）「クリップボタンを押す」
消費者は、当該Ｗｅｂサイト内のクリップボタン１１を押下する。これにより、消費者は、押下したクリップボタン１１に対応する商品情報の電子カタログを要求したことになる。クリップボタン対応部３１１は、クリップボタン１１を押下した消費者が、電子カタログスタンドシステムの会員として未登録であれば、会員登録を促し、会員登録により新規のＭｙクリップスタンド（クリップスタンド４０）を提供する。すなわち、消費者によりクリップボタン１１が押下された際、既に電子カタログスタンドシステムを起動してログインしていれば、電子カタログの登録処理に移行する。ログインしていなければ、ログイン画面を表示してログインを促す。このとき、消費者が会員登録しておらず、ログインするための認証情報を有していなければ、会員登録を促す画面を表示する。
【００４１】
（３）「電子カタログが登録される」
消費者が押下したクリップボタン１１に対応する商品情報の電子カタログが、既に電子カタログ格納部２０に格納されていれば、電子カタログ格納部２０にある当該商品情報の電子カタログが複写（コピー）されＭｙクリップスタンドに登録される。ここで、電子カタログを複写（コピー）する際、マイクロフォーマットのオプションでｈＲｅｖｉｅｗフォームを生成し、評価タグを設けることができる。消費者は、当該商品情報の電子カタログが登録される際、ジャンル・カテゴリ・インデックスを指定できる。ジャンル・カテゴリ・インデックスが同じ商品情報は、比較検討の対象としてＭｙクリップスタンド上に配列されて表示される。なお、消費者が押下したクリップボタン１１に対応する商品情報の電子カタログが、未だ電子カタログ格納部２０に格納されていなければ、当該Ｗｅｂサイトが企業（法人）等の会員により作成されたものであることを確認した上で、当該商品情報の電子カタログを作成して電子カタログ格納部２０に格納する。
【００４２】
（４）「リンクが生成」
当該商品情報の電子カタログがＭｙクリップスタンドに登録されることにより、Ｍｙクリップスタンド内に当該Ｗｅｂサイト或いは当該商品情報へのリンクが生成される。
【００４３】
（５）「ユーザへ特典、新情報を送りたい」
当該商品情報の電子カタログが消費者のＭｙクリップスタンドに登録された旨が、当該商品情報の電子カタログを電子カタログ格納部２０に登録した企業（法人）等のＭｙクリップスタンドに登録される。このとき、企業等のＭｙクリップスタンドの代わりに、企業の電子カタログ管理画面であっても良い。これを見た企業（法人）等の会員は、消費者へ特典情報や新情報を送ることを所望する。
【００４４】
（６）「抽出条件を送信」
企業（法人）等の会員は、条件抽出システム５０に抽出条件を送信する。条件抽出システム５０は、抽出条件とユーザビヘイビア（動線遷移や評価）に関する情報とを比較し、条件に合う消費者を抽出する。
【００４５】
（７）「条件に合うユーザのＭｙクリップスタンドを更新」
条件抽出システム５０は、条件に合う消費者のＭｙクリップスタンドに登録された当該商品情報の電子カタログを更新する。例えば、企業（法人）等の会員が、自身のＭｙクリップスタンドに登録された当該商品情報の電子カタログを更新すると、その更新が、条件に合う消費者のＭｙクリップスタンドに登録された当該商品情報の電子カタログにも反映されるようにする。なお、更新内容としては、特典や割引の提供に関する追加情報や、後継機種や追加オプション等の新情報が考えられる。このとき、条件抽出システム５０は、企業（法人）等のコンテンツ作成者のＭｙクリップスタンドに含まれるダッシュボードに、ユーザビヘイビアに関する情報を格納する。更に、企業（法人）等の会員がダッシュボードに設定した新サービス情報や特典、ポイント提供といった情報を、消費者のＭｙクリップスタンドに登録された当該商品情報の電子カタログに反映する。
【００４６】
（８）「ＤＭの送信」
また、条件抽出システム５０は、条件に合う消費者に対して、ダイレクトメール（ＤＭ）や電子メールを作成して送付する。但し、実際には、条件抽出システム５０から条件に合う消費者を通知された企業（法人）等の会員が、条件に合う消費者に対して、ダイレクトメール（ＤＭ）や電子メールを作成して送付するようにしても良い。ダイレクトメール（ＤＭ）や電子メールにより、消費者に対して電子カタログの更新通知を行う。また、例えば、以前自社の製品に興味を持った消費者や、類似商品や関連商品に興味のある消費者に対して、元ページ１０に関するダイレクトメール（ＤＭ）や電子メールを送付することができる。
【００４７】
（９）「アクセス」
ダイレクトメール（ＤＭ）や電子メールを受け取った消費者は、ダイレクトメール（ＤＭ）や電子メールによって通知されたアクセス先のＵＲＬ等にアクセスする。アクセス先に、元ページ１０の商品情報に関する特典や割引情報、その他の新情報の提供を知らせるフラグが立っていれば、電子カタログスタンド中核システム３０がフラグを確認して、当該商品情報の電子カタログを更新し、Ｍｙクリップスタンドに表示する。このフラグは、企業（法人）等の会員が公開時期等を見計らって任意に設定することができる。なお、アクセス先は元ページ１０でも良い。
【００４８】
（１０）「シンジケートボタンを押す」
なお、消費者がアクセスしたＷｅｂサイトにクリップボタン１１が設けられていない場合、Ｍｙクリップスタンドにあるシンジケートボタン４１を押下する。消費者がシンジケートボタン４１を押下することで、電子カタログ生成エンジン３２が、当該Ｗｅｂサイトから商品情報に関するメタデータを抽出して擬似的な電子カタログを作成し、消費者自身のＭｙクリップスタンドに登録する。ここで、擬似的な電子カタログを登録する際、マイクロフォーマットのオプションでｈＲｅｖｉｅｗフォームを生成し、評価タグを設けることができる。また、消費者は、当該商品情報に関する擬似的な電子カタログが登録される際、ジャンル・カテゴリ・インデックスを指定できる。ジャンル・カテゴリ・インデックスが同じ商品情報は、比較検討の対象としてＭｙクリップスタンド上に配列されて表示される。なお、擬似的な電子カタログは、Ｗｅｂサイト側に更新があっても、消費者が再び自分でシンジケートボタン４１を押下し、擬似的な電子カタログを再生成しない限り、更新されない。すなわち、自動的に更新されることはない。
【００４９】
図４を参照して、電子カタログの生成と自動更新のＡＩＤＭＡモデルについて説明する。
本発明の電子カタログスタンドシステムは、消費者の購買行動プロセスモデル「ＡＩＤＭＡ」を考慮している。
「ＡＩＤＭＡ」とは、「Ａｔｔｅｎｔｉｏｎ（注意）」→「Ｉｎｔｅｒｅｓｔ（関心）」→「Ｄｅｓｉｒｅ（欲求）」→「Ｍｅｍｏｒｙ（記憶）」→「Ａｃｔｉｏｎ（行動）」の順に消費者の購買行動が変遷することに注目したプロセスモデルであり、それぞれの頭文字をとってＡＩＤＭＡと呼ばれている。
【００５０】
「Ａｔｔｅｎｔｉｏｎ（注意）」の例として、「ＴＶ」、「雑誌」、「バナー広告」、「サークル」、「お友達（口コミ）」がある。すなわち、最初に商品情報を知り、注意が喚起されるステップである。本発明においては、ダイレクトメール（ＤＭ）や電子メールの送付がこれに該当する。
【００５１】
「Ｉｎｔｅｒｅｓｔ（関心）」の例として、「Ｗｅｂ検索」、「比較サイト」の閲覧がある。すなわち、関心を持った商品について、より詳細な情報を得るために検索エンジンを用いて当該商品に関するＷｅｂサイトを検索したり、類似の商品と価格や性能を比較したＷｅｂサイトを閲覧したりするステップである。本発明においては、消費者が企業（法人）等の会員が作成したＷｅｂサイトを閲覧する行為がこれに該当する。
【００５２】
「Ｄｅｓｉｒｅ（欲求）」の例として、「商品情報」の発見がある。すなわち、目的とする商品情報が掲載された企業のＷｅｂサイト等を閲覧し、当該商品情報を発見するステップである。本発明においては、企業（法人）等の会員が商品情報を掲載したＷｅｂサイトを作成し、電子カタログの生成を行う。
【００５３】
「Ｍｅｍｏｒｙ（記憶）」の例として、「本ページのクリップ（インデックスを張る）」がある。すなわち、目的とする商品情報をクリップして確保するステップである。本発明においては、消費者がＷｅｂサイト上のクリップボタンを押下し、商品情報の電子カタログを自身のＭｙクリップスタンドに登録する行為がこれに該当する。
【００５４】
「Ａｃｔｉｏｎ（行動）」の例として、「ユーザビヘイビア」がある。ユーザビヘイビアには、「動線遷移」や「評価」がある。「動線遷移」とは、「本ページのクリップ」と「他ページのクリップ」を比較検討した履歴を示す比較動線の変遷を示す。「評価」とは、評価タグに、商品毎の価格、品質、機能に関して点数を与え、点数に応じて各商品を順位付けしたランキングを示す。これに基づいて、電子カタログの更新を行うことになる。
【００５５】
このように、本発明の電子カタログスタンドシステムでは、「電子カタログの案内」→「電子カタログの生成」→「電子カタログのクリップ」→「電子カタログの自動更新」の順に変遷する。「電子カタログの案内」が「Ａｔｔｅｎｔｉｏｎ（注意）」及び「Ｉｎｔｅｒｅｓｔ（関心）」に該当する。「電子カタログの生成」が「Ｄｅｓｉｒｅ（欲求）」に該当する。「電子カタログのクリップ」が「Ｍｅｍｏｒｙ（記憶）」に該当する。「電子カタログの自動更新」が「Ａｃｔｉｏｎ（行動）」に該当する。なお、電子カタログの自動更新とは、企業（法人）等の会員が、商品に関心を持った消費者に特典や新情報を提供することである。
【００５６】
以下に、本発明の第２実施形態について説明する。
本実施形態では、電子カタログ格納部２０上の電子カタログをＭｙクリップスタンド（クリップスタンド４０）に複写する際に、消費者が複写された電子カタログに対して指定したジャンル・カテゴリ・インデックスを、当該電子カタログに対応する電子カタログ格納部２０上の電子カタログに反映させる。すなわち、電子カタログ格納部２０上の電子カタログにも、複写された電子カタログと同じジャンル・カテゴリ・インデックスを指定する。複数のジャンル・カテゴリ・インデックスを指定することも可能であり、同一の電子カタログに対して複数の消費者がそれぞれ異なるジャンル・カテゴリ・インデックスを指定することもできる。なお、同一の電子カタログに対して指定されたジャンル・カテゴリ・インデックスが重複した場合、重複した回数をカウントして、重複回数に基づく電子カタログの人気ランキングを作成することができる。このとき、消費者のＭｙクリップスタンド（クリップスタンド４０）には、ジャンル・カテゴリ・インデックスと共に人気ランキングの結果が表示される。人気ランキングの結果は、消費者の購買動向に影響すると考えられる。
【００５７】
この場合、電子カタログ格納部２０は、個々の電子カタログと、ジャンル・カテゴリ・インデックスとを対応付けた「電子カタログリスト」というデータテーブルを有する。「電子カタログリスト」は、「電子カタログ」、「ジャンル」、「カテゴリ」、「インデックス」という項目を含む。「電子カタログ」は、電子カタログの識別情報又は所在情報を示す。すなわち、電子カタログを一意に特定できる情報であれば良い。「ジャンル」、「カテゴリ」、「インデックス」は、それぞれ当該電子カタログに指定されたジャンル・カテゴリ・インデックスを示す。ジャンル・カテゴリ・インデックスには、それぞれ複数のキーワードを登録することができる。
【００５８】
これにより、Ｍｙクリップスタンドに表示された電子カタログと比較検討するための他の電子カタログを、電子カタログ格納部２０に格納された電子カタログ群の中から検索することができる。
【００５９】
例えば、Ｍｙクリップスタンドに表示された電子カタログに対して指定されたジャンル・カテゴリ・インデックスのいずれか又は全てを検索キーにして、電子カタログリストの中から、検索キーと一致するジャンル・カテゴリ・インデックスが指定された電子カタログを検出し、検出された電子カタログのうちから消費者が指定した電子カタログを電子カタログ格納部２０から複写し配列してＭｙクリップスタンドに表示する。このとき、Ｍｙクリップスタンドには、検索のためにジャンル・カテゴリ・インデックスを検索キーとして入力できる入力欄と、検索を実行するための検索ボタンが表示される。或いは、消費者が自身のＭｙクリップスタンドに電子カタログと共に表示されているジャンル・カテゴリ・インデックスの文字列をクリックすることで検索を実行するようにしても良い。
【００６０】
すなわち、個々の消費者は、他の消費者が自分と同じジャンル・カテゴリ・インデックスを指定した他の電子カタログを参照することができ、自分が知らなかった他の商品情報を、Ｗｅｂサイトを検索することなく取得することが可能になる。
【００６１】
以下に、本発明の第３実施形態について説明する。
本実施形態では、電子カタログ格納部２０上の電子カタログを基に総合商品カタログを作成し、この総合商品カタログを一般公開し、誰でも閲覧できるようにする。非会員の閲覧者が総合商品カタログを利用した場合、会員登録を促すようにすることで、新規会員の獲得の機会を拡大する。
【００６２】
図５を参照して、本実施形態に詳細について説明する。
ここでは、インターネット上商品サイトは、元ページ１０とする。インターネット上商品サイト上に掲載された画像（画像Ａ〜Ｃ）は、商品情報とする。総合商品カタログは、電子カタログ格納部２０とする。但し、実際には、電子カタログスタンド中核システム３０が、電子カタログ格納部２０上の電子カタログを取得して総合商品カタログを作成し、作成された総合商品カタログを公開するようにしても良い。電子カタログスタンド中核システム３０は、本実施形態における各種の処理を行う。Ｍｙクリップスタンドは、クリップスタンド４０とする。
【００６３】
まず、コンテンツ閲覧会員は、インターネット上商品サイトを閲覧し、インターネット上商品サイト上の気に入った商品情報の電子カタログを、自身のＭｙクリップスタンドに登録する。例えば、電子カタログスタンド中核システム３０は、インターネット上商品サイトがコンテンツ作成会員により作成されたＷｅｂサイトであれば、コンテンツ閲覧会員が当該商品情報を指定してクリップボタン１１を押下することで、当該商品情報の電子カタログを電子カタログ格納部２０に格納し、格納された電子カタログを複写してコンテンツ閲覧会員のＭｙクリップスタンドに登録する。或いは、電子カタログスタンド中核システム３０は、インターネット上商品サイトがコンテンツ作成会員により作成されたＷｅｂサイトでなければ、コンテンツ閲覧会員が当該商品情報を指定してシンジケートボタン４１を押下することで、当該商品情報の擬似的な電子カタログが電子カタログ格納部２０に格納し、格納された擬似的な電子カタログを複写してコンテンツ閲覧会員のＭｙクリップスタンドに登録する。
【００６４】
電子カタログ格納部２０は、格納された電子カタログ及び擬似的な電子カタログを、総合商品カタログとして、Ｗｅｂサイトのように不特定多数の閲覧者により閲覧可能な形式で公開する。このとき、電子カタログ格納部２０は、格納された電子カタログ及び擬似的な電子カタログを全て公開する。但し、実際には、所定の条件を満たした電子カタログ及び擬似的な電子カタログのみ公開するようにしても良い。
【００６５】
総合商品カタログは、電子カタログ又は擬似的な電子カタログ毎に、「クリッピング」というボタンを有する。非会員の閲覧者は、総合商品カタログを閲覧し、気に入った電子カタログ及び擬似的な電子カタログがあれば、該当する「クリッピング」を押下することで、新たに作成される自身のＭｙクリップスタンドに、気に入った電子カタログ及び擬似的な電子カタログを登録することができる。このとき、非会員の閲覧者に対して作成されるＭｙクリップスタンドは、限られた期間のみ使用可能である一時的なＭｙクリップスタンドとしても良い。作成されたＭｙクリップスタンドを継続して使用したい非会員の閲覧者に対しては、会員登録を促す。或いは、電子カタログスタンド中核システム３０は、「クリッピング」が押下された際に、当該閲覧者が非会員の閲覧者である場合、非会員の閲覧者に対して会員登録を促し、会員登録された後に、正式なＭｙクリップスタンドを作成するようにしても良い。
【００６６】
同様に、コンテンツ閲覧会員も、総合商品カタログから気に入った電子カタログ及び擬似的な電子カタログを取得できる。コンテンツ閲覧会員総合商品カタログを閲覧し、気に入った電子カタログ及び擬似的な電子カタログがあれば、該当する「クリッピング」を押下することで、既に保有している自身のＭｙクリップスタンドに、気に入った電子カタログ及び擬似的な電子カタログを登録することができる。これにより、コンテンツ閲覧会員は、他のコンテンツ閲覧会員により登録された電子カタログ及び擬似的な電子カタログを、自身のＭｙクリップスタンドに登録することができる。
【００６７】
以下に、本発明の第４実施形態について説明する。
本実施形態では、地域毎の流通系店舗の関係者が、総合商品カタログから自店舗で扱っている商品に関する商品情報の電子カタログ及び擬似的な電子カタログを選択し、自店舗が所在する地域を指定することで、地域別の総合商品カタログを作成し、地域別の総合商品カタログに掲載された電子カタログ及び擬似的な電子カタログを指定した消費者のＭｙクリップスタンドに地域毎の流通系店舗の関係者からのメッセージを表示できるようにする。
【００６８】
図６を参照して、本実施形態に詳細について説明する。
ここでは、流通系店舗は、コンテンツ作成会員として事前に会員登録されたものとする。消費者は、コンテンツ閲覧会員とする。但し、実際には、消費者は、非会員の閲覧者でも良い。例えば、第３実施形態のような事例が考えられる。
【００６９】
本実施形態では、総合商品カタログは、電子カタログ又は擬似的な電子カタログ毎に、「クリッピング」及び「カタログ転写」というボタンを有する。「クリッピング」については、第３実施形態と同様である。「カタログ転写」は、流通系店舗等のコンテンツ作成会員に対してのみ表示され、流通系店舗等のコンテンツ作成会員のみ押下できるようにすると好適である。なお、実際には、電子カタログスタンド中核システム３０は、流通系店舗等のコンテンツ作成会員により「クリッピング」が押下された場合、自動的に「カタログ転写」が押下されたと判断するようにしても良い。この場合、「クリッピング」と「カタログ転写」は１つに統合することができる。
【００７０】
流通系店舗は、総合商品カタログを閲覧し、総合商品カタログから自店舗で扱っている商品に関する商品情報の電子カタログ及び擬似的な電子カタログを選択し、該当する「カタログ転写」を押下する。電子カタログスタンド中核システム３０は、「カタログ転写」が押下された際に、流通系店舗の会員番号の入力や、当該電子カタログ及び擬似的な電子カタログのジャンル・カテゴリ・インデックスの再指定を促し、当該商品情報の電子カタログ及び擬似的な電子カタログと、その商品情報を、入力された会員番号に該当する流通系店舗のＭｙクリップスタンドに登録する。この流通系店舗のＭｙクリップスタンドの代わりに流通系店舗の電子カタログ管理画面であっても良い。更に、電子カタログスタンド中核システム３０は、地域コードの入力を促し、入力された地域コードに該当する電子カタログ格納部２０の地域別・総合商品カタログに、選択された電子カタログ及び擬似的な電子カタログを登録する。このとき、電子カタログスタンド中核システム３０は、該当する地域別・総合商品カタログが無ければ、新たに該当する地域別・総合商品カタログを電子カタログ格納部２０に作成する。地域別・総合商品カタログは、電子カタログ又は擬似的な電子カタログ毎に、「クリッピング」というボタンを有する。なお、地域別・総合商品カタログについては、総合商品カタログに地域別のジャンル・カテゴリの項目を設け、閲覧者により特定の地域のジャンル・カテゴリが指定された際に表示されるようにしても良い。例えば、総合商品カタログにおいて、「東京都」、「神奈川県」等のそれぞれの地域に、「食品」、「旅行」、「スポーツ」等のジャンル・カテゴリの項目を設ける。このとき、閲覧者は、流通系店舗及び消費者のどちらでも良い。
【００７１】
消費者は、地域別・総合商品カタログを閲覧し、「クリッピング」を押下することで、地域別・総合商品カタログから気に入った電子カタログ及び擬似的な電子カタログを取得し、自身のＭｙクリップスタンドに登録する。これに伴い、流通系店舗は、この消費者に対して、商品の割引情報やセール情報等のメッセージを通知することができるようになる。例えば、流通系店舗は、地域別・総合商品カタログに登録された電子カタログ及び擬似的な電子カタログに、メッセージを関連付ける。電子カタログスタンド中核システム３０は、当該電子カタログ及び擬似的な電子カタログをＭｙクリップスタンドに登録した消費者に、当該メッセージを自動的に通知する。或いは、消費者が、地域別・総合商品カタログに登録された電子カタログ及び擬似的な電子カタログを、Ｍｙクリップスタンドに登録した際、電子カタログスタンド中核システム３０は、当該消費者に関する情報を、流通系店舗に通知する。流通系店舗は、当該消費者に関する情報に基づいて、メッセージを通知する。当該消費者に関する情報として、当該消費者の識別情報、当該消費者のＭｙクリップスタンドの識別情報、当該消費者のプロファイルやメールアドレス等が考えられる。
【００７２】
これにより、自店舗のホームページ（ＨＰ）を持たない零細の流通系店舗でも、自店舗の宣伝広告をインターネット上の消費者に通知することが可能になる。
【００７３】
また、本実施形態では、ネットワーク上の不特定多数の閲覧者に公開されている情報に「地域性」を持ち込むことで、「ネットワーク」と「実社会」との融合を図ることができる。
【００７４】
通常、ネットショップによるインターネット上での商品販売（ネット販売）では、地域性を考慮しないため、販売者と消費者の所在地が離れている場合、商品の配送が必要となり、「配送料」が発生する。商品が小額商品の場合、配送料は消費者にとって大きな負担となる。また、ネットショップ自体の知名度が高くなければ、消費者が集まらないという問題がある。これらの点で、零細の流通系店舗は、大手の流通系店舗よりも不利になる。
【００７５】
しかし、本実施形態により、特定の地域に所在する零細の流通系店舗でも、来店の可能性が高い同地域内の消費者に対して、自店舗で扱っている商品の在庫状況や割引情報を通知することができるようになる。また、消費者は、配送料を支払うことなく、最寄の流通系店舗で商品を入手することができるようになる。このように、インターネットという不特定多数を相手にする媒体を用いて、地域の活性化を図ることができる。
【００７６】
また、通常、インターネット検索エンジンでは、ＨＴＭＬデータで構築されたＷｅｂページを、インターネットエージェントで検索、構文解析を行い、必要な情報をダウンロードし、他のＷｅｂサイトやデータベースに保存する自動検索システムが実行されている。
【００７７】
しかし、製造者や販売者等のクライアントが、消費者の動向調査や商品のマーケット情報を分析するに際し、データベースに保存されたブログやＷｅｂ情報の確度は、実用に耐えるものではない。データベースに保存されたブログやＷｅｂ情報は、消費者のキーワード検索の結果において情報収集への気づきや近似性を多少得られるに過ぎないため、個々の人間の「目」や「心」で確認された情報が必要とされることもある。
【００７８】
本発明に基づくソーシャルメディアでは、そうした人間の感動や心、嗜好といった点に焦点（フォーカス）を当て、個々の消費者がインターネット上から探し出し、スクラッピング（クリッピング）した情報を、全消費者の共通データベースに自動保管すると共に、消費者のＭｙクリップスタンドへ消費者の指定したインデックス（テーマ）に基づき自動整理して登録する。
【００７９】
本発明では、消費者をインターネット上の情報キャッチャーとして捉え、消費者が収集した情報を、全消費者の共通データベースから個々の消費者のＭｙクリップスタンドに、消費者の関心の高いテーマに併せて自動複写し、ソーシャルメディアを構築する。ソーシャルメディア内の消費者は、共通の関心を示した消費者同士で、共通テーマのコミュニティーを自動開催し、意見やブログ情報等のリアルタイムでの情報交換を行うことが可能となる。
【００８０】
製造者や販売者等のクライアントは、ブログ情報等の確度の粗い情報より、精度の高い情報に関心を示した母集団によるコミュニティーのリアルタイムの情報を求めていると考えられる。従って、本発明に基づくソーシャルメディアの潜在的な需要は非常に大きいと考えられる。
【００８１】
なお、本発明の第３実施形態及び第４実施形態において、総合商品カタログ及び地域別総合商品カタログに、会員共通の電子掲示板又はチャットを設けることも可能である。例えば、電子カタログスタンド中核システム３０は、総合商品カタログ及び地域別総合商品カタログにおいて、電子カタログ及び擬似的な電子カタログ毎に、「コミュニティー」というボタンを設置する。ここで、電子カタログ及び擬似的な電子カタログを自身のクリップスタンドに登録した会員をカタログ取得会員と呼ぶ。電子カタログスタンド中核システム３０は、カタログ取得会員により「コミュニティー」が押下された場合、当該カタログ取得会員に共通の電子掲示板又はチャットを表示する。これにより、同じ電子カタログ及び擬似的な電子カタログをクリップスタンドに登録した会員同士で、コミュニケーションをとることが可能になる。
【００８２】
本発明における各実施形態は、組み合わせて実施しても良い。
【００８３】
以上のように、本発明の電子カタログスタンドシステムは、消費者にとって、自分が関心を持つ商品やサービスについてマッシュアップ（ＭａｓｈＵｐ）できるＡＰＩ（Ａｐｐｌｉｃａｔｉｏｎ  Ｐｒｏｇｒａｍｍｉｎｇ  Ｉｎｔｅｒｆａｃｅ）となる。
【００８４】
本発明により、購入を検討したい商品のＷｅｂサイトを閲覧しているユーザが、簡単な操作で自分専用のページであるＭｙクリップスタンドに当該商品情報を登録できる。例えば、クリップボタン１１の押下によりＪａｖａｓｃｒｉｐｔ（登録商標）等のブラウザの機能を使用してＷｅｂサイトに掲載された商品情報を登録する。なお、クリップボタン１１をＷｅｂサイト（元ページ１０）に表示するには、例えば、企業（法人）等の会員が電子カタログスタンド中核システム３０を介して、クリップボタン１１を表示するためのＪａｖａｓｃｒｉｐｔ（登録商標）等のスクリプトをＷｅｂサイト（元ページ１０）に埋め込む。このとき、企業（法人）等の会員がクリップボタン１１を取得するための操作を行うことで、Ｗｅｂサイト（元ページ１０）にクリップボタン１１が表示されるようになる。クリップボタン１１を取得するための操作としては、企業（法人）等の会員のダッシュボードに、クリップボタン１１を取得するための「取得ボタン」を表示し、この取得ボタンが押下された時にＷｅｂサイト（元ページ１０）にクリップボタン１１を表示することが考えられる。或いは、消費者等の会員が、自身のクリップスタンド４０（Ｍｙクリップスタンド）に、Ｗｅｂサイト（元ページ１０）のリンク又はＷｅｂサイト（元ページ１０）上の商品情報を示すアイコンや画像をドラッグ＆ドロップすることで、閲覧中のＷｅｂサイト（元ページ１０）にクリップボタン１１を表示することが考えられる。
【００８５】
また、購入したい商品の商品情報をユーザが比較検討し易いように、１つのページ（Ｍｙクリップスタンド）上に整理して表示する。これにより、比較だけでなく、興味ある商品の備忘録としても使える。また、以前に比較検討した商品情報をアーカイブに残しておけば、過去に調べた商品情報を労せず閲覧することができる。すなわち、以前に比較検討した商品情報を閲覧するため、再びインターネット上を検索する必要がなくなる。
【００８６】
Ｍｙクリップスタンド上の商品情報は、フォルダ分けをしたり順番を変えたり、ユーザが自分で見やすく使いやすい配列で表示することができる。このようにすることで、各々のユーザが自分の好みに合わせてカスタマイズした自分だけの商品比較サイトを作成することが可能になる。例えば、一般的な価格比較サイト等では、そのサイト上に用意された限られた商品情報群の中から価格等のいくつかの条件を設定して条件に合うものを表示するという形式を採用している場合が多い。これでは、商品情報の比較検討の自由度がかなり制限される。また、自動車とテレビのような商品分類の異なる商品情報同士や、異なるＷｅｂサイト上で偶然に発見した商品情報同士を同じ画面上で比較することができない。しかし、本発明では、同じ画面上に表示したい商品情報を自分で指定でき、その商品情報のジャンル・カテゴリ・インデックスも自分で入力できるため、商品分類の異なる商品情報同士や異なるＷｅｂサイト上の商品情報同士についても、自分の判断基準に合わせて比較検討することが可能になる。
【００８７】
更に、商品情報を提供した企業側が会員であれば、Ｍｙクリップスタンド上の商品情報に関連する更新情報を特定の相手に配信することができる。例えば、１０％値引き等の勧誘行為、当該商品の後継機種等の商品の更なる情報の提供が可能となる。
【図面の簡単な説明】
【００８８】
【図１】図１は、本発明の電子カタログスタンドシステムの概念図である。
【図２】図２は、本発明の電子カタログスタンドシステムの構成を示すブロック図である。
【図３】図３は、電子カタログスタンドシステムを用いたサービスモデルのフローを示す図である。
【図４】図４は、電子カタログの生成と自動更新のＡＩＤＭＡモデルを示す図である。
【図５】図５は、総合商品カタログを一般公開する際の実施例を示す図である。
【図６】図６は、地域別総合商品カタログを一般公開する際の実施例を示す図である。
【符号の説明】
【００８９】
１０（−ｉ、ｉ＝１〜ｍ）…  元ページ（Ｗｅｂサイト、Ｂｌｏｇ等）
１１…  クリップボタン
２０…  電子カタログ格納部
３０…  電子カタログスタンド中核システム
３１…  電子カタログ収集部
３１１…  クリップボタン対応部
３１２…  シンジケートボタン対応部
３２…  電子カタログ生成エンジン
４０（−ｊ、ｊ＝１〜ｎ）…  クリップスタンド
４１…  シンジケートボタン
５０…  条件抽出システム
【図１】
2009048606.tif 000003
【図２】
2009048606.tif 000004
【図３】
2009048606.tif 000005
【図４】
2009048606.tif 000006
【図５】
2009048606.tif 000007
【図６】
2009048606.tif 000008